(57)【特許請求の範囲】
【請求項１】
遊技機の所定位置に配設されて遊技状態に応じて各種効果音を出力し得る効果音出力装置(25)における出力部(25a)の前側を保護し得るカバー体(30)であって、
前記カバー体(30)は、前記効果音出力装置(25)の出力部(25a)から出力される各種効果音の通過を許容し得る開口部(31a,33a)が夫々形成されて前後方向に重ね合わされる第１カバー部材(31)および第２カバー部材(33)からなり、
前記出力部(25a)に近接して配設される第１カバー部材(31)は、その略中央部に向かって凹形状となるよう前後方向に所要間隔で離間すると共に、後側に向かうにつれて外形寸法が小さくなる複数の規制部(31b)を外郭枠(32)に配設して、各規制部(31b)間に開口部(31a)を夫々形成し、
前記第１カバー部材(31)の前側に配設される第２カバー部材(33)は、前記第１カバー部材(31)の外郭枠(32)と対応する大きさの皿状に形成された平面部(34)に複数の開口部(33a)を形成し、
前記第１および第２カバー部材(31,33)に形成される開口部(31a,33a)の夫々を異なる形状に設定し、第２カバー部材(33)の開口部(33a)に通入した異物を、第１カバー部材(31)で規制するよう構成した
ことを特徴とする効果音出力装置のカバー体。
【請求項２】
前記第１カバー部材(31)の外郭枠(32)における所要位置に係止片(32a)を形成すると共に、前記第２カバー部材(33)の枠部(35)における該係止片(32a)と対応する位置に係止孔(35a)を形成し、この係止片(32a)と係止孔(35a)とを嵌合させることで両カバー部材(31,33)を着脱可能に組付けるようにした請求項１記載の効果音出力装置のカバー体。
【発明の詳細な説明】
【０００１】
【発明の属する技術分野】
本発明は、効果音出力装置のカバー体に関し、更に詳細には、遊技機の所定位置に配設されて遊技状態に応じて各種効果音を出力し得る効果音出力装置を保護し、該効果音出力装置の損傷を防止し得るカバー体に関する。
【０００２】
【従来の技術】
例えば、パチンコ機やアレンジボール機等の遊技機は、機内にセットされる遊技盤上の遊技領域における所要位置に、数字や文字等の識別可能な図柄を変動表示し得る各種の図柄表示装置が配設され、遊技状態に対応して該図柄表示装置で図柄変動や種々の演出(リーチ演出や大当り演出等)が行なわれるよう構成されている。そして、前記遊技機の所定位置に配設される効果音出力装置から、前記図柄表示装置での演出に併せて各種効果音を出力することで、興趣ある遊技を行ない得るようになっている。
【０００３】
ここで、前記効果音出力装置は、遊技者にその出力部から出力される効果音をより鮮明に伝えられるように、その出力部ができる限り遊技機の前面近傍に位置するよう配設される。この場合、前記効果音出力装置の出力部をそのまま外部に露出させると、遊技者の悪戯等により出力部が損傷する畏れがある。そこで、各種効果音の通過を許容し得る多数の通孔を形成したカバー部材を、前記出力部の前側に配設したり、遊技機の所要位置に多数の通孔を穿設して、その後方に効果音出力装置を配設することにより、当該出力部を保護するよう構成している。
【０００４】
【発明が解決しようとする課題】
しかし、前記効果音出力装置の出力部は、１つのカバー部材等により保護されているだけであり、異物がカバー部材等の通孔に通入された場合には、直接出力部まで到達して損傷する畏れがある。なお、前記効果音出力装置の出力部を前記カバー部材等から大きく後方に離間して配設すれば、前記カバー部材等の通孔に通入した異物が出力部まで容易には到達しないので、該出力部の損傷を低減することができる。しかしこの場合には、前記効果音出力装置が遊技者から遠くなるため、充分な音量で効果音を出力した場合でも遊技者に鮮明に伝えられない問題を生ずる。また、前記効果音出力装置における出力部の前側に複数のカバー部材等を設けたり、該部材に形成する通孔を小さくすれば、出力部の損傷を防止し得るようになるが、この場合には有効な開口面積が減少するために出力部から出力される効果音の伝播が妨げられてしまい、遊技者が効果音を聞き取り難くなる畏れがある。
【０００５】
【発明の目的】
本発明は、前述した従来の技術に内在する前記欠点に鑑み、これを好適に解決するべく提案されたものであって、遊技者に効果音出力装置から出力される各種効果音を鮮明に伝えることができると共に、外部からの異物の通入を防止して、該効果音出力装置における出力部の損傷を防ぐことができる効果音出力装置のカバー体を提供することを目的とする。
【０００６】
【課題を解決するための手段】
前記課題を克服し、所期の目的を達成するため、本発明に係る効果音出力装置のカバー体は、
遊技機の所定位置に配設されて遊技状態に応じて各種効果音を出力し得る効果音出力装置における出力部の前側を保護し得るカバー体であって、
前記カバー体は、前記効果音出力装置の出力部から出力される各種効果音の通過を許容し得る開口部が夫々形成されて前後方向に重ね合わされる第１カバー部材および第２カバー部材からなり、
前記出力部に近接して配設される第１カバー部材は、その略中央部に向かって凹形状となるよう前後方向に所要間隔で離間すると共に、後側に向かうにつれて外形寸法が小さくなる複数の規制部を外郭枠に配設して、各規制部間に開口部を夫々形成し、
前記第１カバー部材の前側に配設される第２カバー部材は、前記第１カバー部材の外郭枠と対応する大きさの皿状に形成された平面部に複数の開口部を形成し、
前記第１および第２カバー部材に形成される開口部の夫々を異なる形状に設定し、第２カバー部材の開口部に通入した異物を、第１カバー部材で規制するよう構成したことを特徴とする。
【０００７】
【作用】
本発明は、各種効果音の通過を許容し得る異なる形状の開口部が夫々開口された第１カバー部材および第２カバー部材が、前後に重ね合わされた状態で効果音出力装置の出力部の前側を保護し得るよう配設されている。このため、遊技者の悪戯等により異物が前側の第２カバー部材に設けた開口部に通入された場合でも、後側の第１カバー部材で規制し得るため、前記効果音出力装置の出力部に異物が到達して損傷するのを防止し得る。また、各カバー部材に異なる形状の開口部を形成することで、第２カバー部材に設けた開口部に通入し得る形状の異物であっても、第１カバー部材に設けた開口部への通入を阻止し得るので、前記出力部の損傷を効果的に防止できる。このとき、前記開口部の夫々を必要以上に小さくする必要がないので、前記出力部から出力される効果音の伝播が妨げられることもない。更に、第１および第２カバー部材で出力部をカバーすることで、出力部を遊技機の前面近傍に位置させ得るようになるため、遊技者に鮮明な効果音が伝えられる。
【０００８】
【発明の実施の形態】
次に、本発明に係る効果音出力装置のカバー体について好適な実施例を挙げて、添付図面を参照しながら、以下詳細に説明する。なお、本実施例では、一般的なパチンコ機に効果音出力装置を配設し、この効果音出力装置にカバー体を取付ける場合について説明する。
【０００９】
そこで、先ず本実施例の効果音出力装置のカバー体が配設されるパチンコ機について、図１を参照して要約説明する。本実施例のパチンコ機Ｐは、その基本的な概略構成として、矩形枠体状に形成される外枠Ａの開口前面側に対し、前枠Ｂが連結支持手段および施錠手段を利用して着脱および開放可能に組付けられている。そして前枠Ｂには、横開き式のガラス扉Ｄを組付けた窓枠Ｃと、ガラス扉Ｄの下部において前枠Ｂに対して着脱および開放可能に組付けられる開閉セット板の前側に上球皿Ｅが組付けられると共に、該開閉セット板の後側に電動式の球送り装置(図示せず)等がセットされている。また、前記前枠Ｂの下部に下球皿Ｆおよび打球発射装置Ｈ等が設置されると共に、裏側に機構セット盤(図示せず)が装備され、更に該前枠Ｂの後側に設けた保持枠(図示せず)の正面内部に、所要の遊技領域Ｉを構成した遊技盤Ｊが着脱交換可能にセットされる。
【００１０】
前記遊技盤Ｊは、図１に示すように、略円形状に湾曲形成したレール１０により囲まれた遊技領域Ｉの前側において、縦央やや下部に配設されて球をスイッチで検出し得る始動入賞具１１と、この始動入賞具１１の直上方に配置されて、図柄の変動表示等を行なう図柄可変表示装置Ｋとが整合すると共に、内壁面をメッキ処理して開設された可視表示窓を形成した大型装飾部品Ｌと、風車とも称されて遊技球の流下方向を変向する電飾案内車１２および普通案内車１３と、始動入賞具１１の直下方に設置された大型電動式の入賞装置Ｍと、遊技状態に応じて照射パターンが変更制御される電飾装置１４等を備えている。
【００１１】
また、前記始動入賞具１１の直下方に設置された大型電動式の入賞装置Ｍは、図柄可変表示装置Ｋでの大当り成立時に対する特別遊技状態として、開成作動条件が付与される大型装置である。すなわち、図１に示されるように、特別入賞口１７に対設された扉状の開閉板１８が、後側の電磁ソレノイド(図示せず)に係る設定駆動条件に基づいて、通常の閉塞状態から開放状態に変化されるようになっている。なお、前記入賞装置Ｍの左右両側に普通入賞口１９,１９が設けてある。なお、図１中の符号１６はアウト口を示し、遊技球を排出するようになっている。
【００１２】
前記外枠Ａは、図２に示すように、平板状の一対の横枠２０,２０および上枠２１と、前側に遮蔽板２３が立設された下枠２２とから構成されており、上枠２１に形成された支軸２１ａと下枠２２に形成された支軸２２ａとを介して前記前枠Ｂが開放可能に組付けられる。また、前記下枠２２ａにおける遮蔽板２３の左右両側部には、図３に示すように、装着孔２３ａ,２３ａの夫々が穿設されている。そして、前記各装着孔２３ａの後方には、前記遮蔽板２３に対して、前側から取付枠３７、カバー体３０および効果音出力装置２５の順で配置されて、効果音出力装置２５の後方に位置する固定部材２９をビス等により遮蔽板２３に取付けることで、これら各部品３７,３０,２５が固定部材２９と遮蔽板２３との間に位置決め固定される。なお、前記効果音出力装置２５としては、その出力部２５ａの略中央部が後方に凹んだ形状の一般的なコーン型スピーカであり、その外周形状は略楕円に形成されている。ここで、前記効果音出力装置２５は、パチンコ機裏側の所要位置に配設される音声制御手段(図示せず)から送信される音信号に基づいて、各種効果音を出力するようになっている。
【００１３】
次に、本実施例の効果音出力装置２５の前記カバー体３０につき、図３〜図８を参照しながら説明する。先ず、図３または図８に示すように、前記カバー体３０は、前述したように前記効果音出力装置２５における出力部２５ａの前側に位置し、該出力部２５ａを保護するようになっている。ここで、前記カバー体３０は、前記効果音出力装置２５の出力部２５ａから出力される各種効果音の通過を許容し得る開口部３１ａ,３３ａが夫々形成されて、前後方向に重ね合わされる第１カバー部材３１および第２カバー部材３３からなり(図４参照)、両カバー部材３１,３３を前後方向に重ね合わせた状態で、該第１カバー部材３１が効果音出力装置２５における出力部２５ａの前側に近接するように配設されている。
【００１４】
前記第１カバー部材３１は、前記効果音出力装置２５における出力部２５ａの外周形状より僅かに小さな相似形状の略楕円の枠体状に形成された外郭枠３２と、該外郭枠３２と相似形状の複数の規制部３１ｂとから構成されている。また、複数の規制部３１ｂの夫々は、前後方向に所要間隔で離間すると共に、後側(出力部２５ａ側)に向かうにつれて外形寸法が順次小さくなるよう構成されており、各規制部３１ｂ間にスリット形状の開口部３１ａが夫々形成される。すなわち、前記第１カバー部材３１は、前記効果音出力装置２５の出力部２５ａと同様に、その略中央部に向かって凹形状に形成されており、該第１カバー部材３１を効果音出力装置２５に取付けた際に、出力部２５ａに各規制部３１ｂが近接するようになっている。
【００１５】
このため、図６に示すように、前記第１カバー部材３１に形成されるスリット形状の開口部３１ａを前方向から見た場合の開口幅Ｚを狭くしても、斜め方向に開口する開口幅Ｙは充分に広くなっている。なお、前記第１カバー部材３１を前面から見た場合の開口部３１ａの開口幅Ｚは、前記第２カバー部材３３に開口させる後述の開口部３３ａの直径より小さく設定されている(図７(a),(b)参照)。また、前記各規制部３１ｂは、前記外郭枠３２の周方向に離間すると共に、後方に向かうにつれて略中央に収束するよう設けられ、規制部としても機能する複数の連結部材３１ｃを介して該外郭枠３２に連結固定される。すなわち、前記第１カバー部材３１を前記効果音出力装置２５に取付けることで、該カバー対３１に形成した各規制部３１ｂおよび連結部材３１ｃにより前記開口部３１ａへの異物の通入が阻止されて、前記出力部２５ａの損傷が防止される。
【００１６】
更に、図４に示すように、前記第１カバー部材３１の外郭枠３２における外周面の上端および下端の略中央位置に係止片３２ａが夫々形成され、前記第２カバー部材３３に形成される後述の係止孔３５ａに係止片３２ａが嵌合するよう構成される。更にまた、前記外郭枠３２における外周面の所要位置には複数の突状部３２ｂが形成されており、前記第１カバー部材３１と第２カバー部材３３を組付ける際に、両部材３１,３３の間に嵌入されて強固に固定するようになっている。
【００１７】
前記第１カバー部材３１の前側に配設される前記第２カバー部材３３は、図４に示すように、第１カバー部材３１の外郭枠３２と対応する大きさの皿状に形成される平面部３４と、該平面部３４の全周に亘り後方に向かって突設される枠部３５とから構成され、該平面部３４には略円形の複数の開口部３３ａが形成されている。なお前述したように、前記第２カバー部材３３の開口部３３ａの直径は、前記第１カバー部材３１を前面から見た場合の開口部３１ａの開口幅Ｚより大きくなるよう設定されている。また第２カバー部材３３の枠部３５には、その後方端から外方向に延出する第１のフランジ部３５ｂが形成されて、前記取付枠３７に形成される後述の第２のフランジ部３７ｂに第１のフランジ部３５ｂを当接することで、該第２カバー部材３３の位置決めがなされるようになっている。
【００１８】
更に、図４または図８に示すように、前記第２カバー部材３３の枠部３５には、前記第１カバー部材３１と第２カバー部材３３とを整列させた際に、第１カバー部材３１の係止片３２ａ,３２ａと対応する位置に係止孔３５ａ,３５ａが夫々穿設されている。そして、前記各係止片３２ａの先端を対応する係止孔３５ａに挿入したもとで、前記第１カバー部材３１を後方から押圧することで、該第１カバー部材３１が全体的に弾性変形されて夫々の係止片３２ａが係止孔３５ａに嵌合し、両カバー部材３１,３３が着脱可能に組付けられることにより、前記カバー体３０が一体的に取扱い得るようになっている。また、前記第２カバー部材３３に穿設される各係止孔３５ａは前記枠部３５を貫通するよう形成されており、前記第１カバー部材３１の各係止片３２ａを該係止孔３５ａに嵌合した際に、該枠部３５から外側に突出するよう設定されている。なお、前記第１および第２カバー部材３１,３３を組付ける際に、第１カバー部材３１の前記各突状部３２ｂが、両カバー部材３１,３３の隙間に強制的に嵌入されて両カバー部材３１,３３の強固な固定がなされるようになっている。
【００１９】
前記第２カバー部材３３の前側に配設される前記取付枠３７は、図４に示すように、第２カバー部材３３の前記平面部３４を外部に露出し得る開口を有する枠体状に形成されて、その前端部から内側に向かって平面部３４の前面が当接する係合部３７ａが延出すると共に、後端部からは外側に向かって延出する第２のフランジ部３７ｂが形成されている。すなわち、前記取付枠３７の係合部３７ａに第２カバー部材３３の平面部３４が当接することで、該第２カバー部材３３の位置決めがなされる。そして、前記取付枠３７を前記遮蔽板２３の装着孔２３ａに装着する際に、当該取付枠３７の第２のフランジ部３７ｂが遮蔽板２３に当接することで、取付枠３７の位置決めがなされるようになっている。
【００２０】
また、前記取付枠３７の内周面には、前記カバー体３０と取付枠３７とを整列させた際に、前記第１カバー部材３１の各係止片３２ａと対応する位置に係止凹部３７ｃが夫々形成されている。すなわち、前記第１カバー部材３１の係止片３２ａを前記第２カバー部材３３の係止孔３５ａに嵌合した状態で、該係止孔３５ａから突出した係止片３２ａの先端を対応する係止凹部３７ｃに当接させたもとで、前記カバー体３０を後方から押圧することで、第１カバー部材３１が全体的に弾性変形されて夫々の係止片３２ａが係止凹部３７ｃに嵌合し、カバー体３０に取付枠３７を着脱可能に組付けることにより一体的に取扱い得るよう構成される。
【００２１】
【実施例の作用】
次に、前述のように構成された本実施例に係る効果音出力装置２５のカバー体３０の作用について説明する。効果音出力装置２５の出力部２５ａから出力される各種効果音は、該出力部２５ａの前側に配設された第１カバー部材３１および第２カバー部材３３とからなるカバー体３０の開口部３１ａ,３３ａを通過して、外部(遊技者等)に伝えられるようになっている。このとき、前記効果音出力装置２５の出力部２５ａの前側を、第１および第２カバー部材３１,３３からなるカバー体３０で保護するようにしたので、前側に配設される前記第２カバー部材３３の開口部３３ａに通入された異物を、後側に配設した前記第１カバー部材３１で規制することが可能である。すなわち、前記第１および第２カバー部材３１,３３の開口部３１ａ,３３ａを夫々スリット形状および略円形に形成して、該開口部３１ａの開口幅Ｚを第２カバー部材３３に形成される開口部３３ａの直径より小さく設定したので、前側の第２カバー部材３３の開口部３３ａを異物が通入した場合であっても、容易にこの第１カバー部材３１の開口部３１ａに通入することはなく、効果音出力装置２５の出力部２５ａの損傷を防止し得る。例えば、前記第２カバー部材３３の開口部３３ａの後方に、前記第１カバー部材３１の開口部３１ａが臨んでいる場合であっても、第１カバー部材３３における開口部３１ａの開口幅Ｚは、第２カバー部材３３における開口部３３ａの直径より小さく設定されているから、図７(b)に示すように、第２カバー部材３３の開口部３３ａに丸棒状の異物Ｓを通入したとしても、第１カバー部材３１におけるスリット形状の開口部３１ａへの通入を阻止できる。なお、前記両開口部３１ａ,３３ａが前後に重なっていなければ、第２カバー部材３３の開口部３３ａに通入された異物Ｓの出力部２５ａ側への通入は、前記第１カバー部材３１の規制部３１ｂで阻止される。
【００２２】
また、前記効果音出力装置２５の出力部２５ａ側に配設される第１カバー部材３１は、前後方向に所要間隔で離間すると共に、後側に向かうにつれて外形寸法が小さくなる複数の規制部３１ｂを連結部材３１ｃを介して外郭枠３２に配設し、各規制部３１ｂ間に開口部３１ａが形成されている。すなわち、図６に示すように、前記スリット形状に開口された各開口部３１ａが前方向へ開口する開口幅Ｚを、この開口部３１ａに異物が通入しないよう狭く設定しても、開口部３３ａの斜め方向へ開口する開口幅Ｙは充分な広さとなり、開口部３１ａにおける有効な開口面積を大きく確保することができるので、効果音の通過は阻害され難くなって遊技者に効果音を鮮明に伝えることができる。更に、前記第１カバー部材３１の各規制部３１ｂは、その略中央部に向かって凹形状に形成されている出力部２５ａの近傍に位置しているので、前記第１カバー部材３１を効果音出力装置２５に取付けた状態における奥行き寸法はコンパクトになるため、出力部２５ａを遊技者に近接して配設し得、鮮明な効果音を伝えることが可能である。
【００２３】
そして、前記第１カバー部材３１における外郭枠３２の上端および下端の所要位置に形成した係止片３２ａ,３２ａを、前記第２カバー部材３３の枠部３５に形成した係止孔３５ａ,３５ａに嵌合させることで、両カバー部材３１,３３を着脱可能に組付けるようにしたので、単一の部材としてカバー体３０を取り扱うことが可能になり、組付け作業を簡略化することができる。このとき、前記第１カバー部材３１の外郭枠３２に形成した突状部３２ｂが、第１カバー部材３１と第２カバー部材３３との間に嵌入されるので、両カバー部材３１,３３を強固に固定し得ると共に、両カバー部材３１,３３のガタツキが防止されて、前記カバー体３０の安定性が向上する。
【００２４】
更に、前記第１および第２カバー部材３１,３３を組付けた際に、第２カバー部材３３の係止孔３５ａから突出する前記係止片３２ａを、取付枠３７に形成した係止凹部３７ｃに嵌合させることで、同様にカバー体３０と取付枠３７とを単一部材として取り扱うことも可能となり、一層組付け作業を簡略化できるので、作業効率を向上させることが可能である。また、前記カバー体３０および取付枠３７を夫々別部材で構成したので、各部材が損傷した場合にはその損傷した部材のみを交換することができ、コストや廃棄物等を低減させることができる。なお、遊技機ごとに異なる形状やデザインの取付枠３７を採用することで、意匠性に変化を付与することもできる。
【００２５】
なお、本実施例では、効果音出力装置の出力部を保護し得るカバー体を、２つのカバー部材から構成するようにしたが、３つ以上のカバー部材で構成することも可能である。この場合も、カバー部材に形成する開口部を夫々異なる形状とすることで、外部からの異物の通入を防止して、前記出力部の損傷を防ぐことができる。なお、３つ以上のカバー部材でカバー体を構成する場合には、その開口面積が必要以上に小さくならないよう注意が必要である。また、夫々のカバー部材およびその開口部の形状は、実施例のものに限られるものではなく、三角形、四角形、星型その他の形状を採用し得る。例えば、後側に配設されるカバー部材の外郭枠を略円形に形成し、その略中央部に向かって凹形状に形成された規制部に所要径の開口部を複数形成し、前側に配設されるカバー部材を該外郭枠と対応する大きさの略円形に形成して、その平面部に矩形の開口部を形成することも可能である。このとき、前記後側のカバー部材に形成される開口部を、前側のカバー部材に形成される開口部より小さく設定することで、外部からの異物の通入を防止して、前記出力部の損傷を防ぐことができる。
【００２６】
前記第１カバー部材の外郭枠の上端および下端に係止片を形成したが、該係止片を形成する位置および数は所要に応じて設定でき、第２カバー部材におけるこの係止片と対応する位置に係止孔を形成するようにすれば良い。また、実施例では、第１カバー部材に形成した係止片を第２カバー部材に形成した係止孔に嵌合させて固定するようにしたが、これに限らず、ネジ等による螺着や接着剤による接着、その他従来公知の各種手段を使用し得るが、着脱可能に取着する手段が好適である。
【００２７】
実施例では、遊技機に形成した装着孔に取付枠を配設し、該取付枠を介してカバー体と効果音出力装置を遊技機に配設するようにしたが、直接カバ−体を該装着孔に配設し、その後方に効果音出力装置を配設することもできる。この場合には、部品点数が減少するので、コストを削減できる。本実施例では、パチンコ機に配設される効果音出力装置の出力部をカバー体で保護する場合を示したが、これに限らず、スロットマシン機やアレンジボール機等の種々の遊技機に配設される効果音出力装置における出力部の損傷を防止することもできる。なお、効果音出力装置を遊技機の下方位置に配設するようにしたが、遊技機の所要の位置に配設すればよい。
【００２８】
【発明の効果】
以上説明した如く、本発明に係る効果音出力装置のカバー体は、効果音出力装置の出力部から出力される各種効果音の通過を許容し得る開口部が夫々異なる形状に形成されて、前後に重ね合わされる第１カバー部材および第２カバー部材で構成するようにしたので、前側の第２カバー部材の開口部から通入された異物を、後側の第１カバー部材で規制することができる。すなわち、前記効果音出力装置への異物の到達を防ぎ、該装置の出力部の損傷を防止することができる。また、前記各カバー部材に形成される開口部の夫々を異なる形状に設定することで、前側の第２カバー部材の開口部に通入し得る異物であっても、形状が異なる後側の第１カバー部材の開口部の通入を規制し得るので、効果音出力装置の出力部の損傷を効果的に防止し得る。
【００２９】
また、少なくとも出力部側に配設されるカバー部材を、その略中央部が凹んだ凹形状に形成することで、該カバー部材に形成する開口部の開口面積を大きくすることが可能となり、効果音の通過は阻害され難くなるので、遊技者に効果音を鮮明に伝えることができる。
【００３０】
更に、前記カバー体を構成する第１カバー部材の外郭枠における所要位置に形成した係止片と、該第１カバー部材の前側に配設される第２カバー部材における係止片に対応する位置に形成した係止孔とを嵌合させることで、両カバー部材を着脱可能に組付けるようにしたので、カバー体を単一の部材として取り扱うことが可能となり、遊技機への取付け作業を簡略化できる。
【図面の簡単な説明】
【図１】本発明の実施例に係るパチンコ機を示す正面図である。
【図２】実施例に係るパチンコ機の外枠を示す正面図である。
【図３】実施例に係るパチンコ機の下枠を背面から見た状態を示す斜視図である。
【図４】実施例に係るカバー体と取付枠を分解した状態を背面から見た斜視図である。
【図５】実施例に係る第１カバー部材を正面から見た斜視図である。
【図６】実施例に係る第１カバー部材の縦断側面図である。
【図７】  (a)は実施例に係る第１カバー部材と第２カバー部材とを組付けた状態を示す正面図であり、(b)は第１カバー部材の開口部と第２カバー部材の開口部の関係を拡大して示す概略図である。
【図８】実施例に係る効果音出力装置、カバー部材および取付枠を分解した状態で示す側面図である。
【符号の説明】
２５  効果音出力装置
２５ａ  出力部
３０  カバー体
３１  第１カバー部材
３１ａ  開口部
３１ｂ  規制部
３２  外郭枠
３２ａ  係止片
３３  第２カバー部材
３３ａ  開口部
３４  平面部
３５  枠部
３５ａ  係止孔
【図１】
0004003209.tif 000002
【図２】
0004003209.tif 000003
【図３】
0004003209.tif 000004
【図４】
0004003209.tif 000005
【図５】
0004003209.tif 000006
【図６】
0004003209.tif 000007
【図７】
0004003209.tif 000008
【図８】
0004003209.tif 000009